(57)【特許請求の範囲】
【請求項１】
躯体Ｆ上に定立可能なパイプ状の起立部材であって、外周面には第一雄ネジ部11が形成されたペディスタルボルト１を、このパイプ状中空部に内装されたアンカー杭２に対し当該中空部の上部からノックロッドNを差し込んで当該ノックロッドを介しアンカー杭２を叩打することによってアンカー杭２の先端21および軸部22を躯体Ｆの中に打込み固定すると共に、当該ペディスタルボルト１外周面の第一雄ネジ部11には下部周縁に受部32を備える支承筒３を螺合させて、フロアビームＢに穿設された差し孔ｈを前記支承筒３の受部32に嵌め合せることにより当該フロアビームＢを前記受部32に支承せしめ、これらフロアビームＢのレベルを支承筒３のヘッド部31を正逆回転操作することによって調節してレベルが合致したところで、差し孔ｈから突出せる支承筒３上部の第二雄ネジ部33にロックナット４を螺合して締め付けてフロアビームＢを当該床ポスト（１・２・３）上に床組み構築することを特徴とする杭止め式レベル調節床ポストを使用する床組み施工法。
【請求項２】
ペディスタルボルト１の下端部には、躯体Ｆ上に定立させるための鍔広のフット部10を有しており、アンカー杭２によりペディスタルボルト１を躯体Ｆ上に打込み固定するに際し、前記フット部10の下面を接着剤によって躯体F面に接着することを特徴とする請求項１記載の杭止め式レベル調節床ポストを使用する床組み施工法。
【請求項３】
パイプ状中空部の下部に内装されたアンカー杭２を躯体Ｆ中に打込み固定することによって躯体Ｆ上にペディスタルボルト１・１・…を列設して、これらの各ペディスタルボルト１の外周面の第一雄ネジ部11には、上部周縁に第二雄ネジ部32と下部周縁に受部32とを備えた支承筒３・３・…を螺合して装着し、これら各支承筒３にフロアビームＢに開設された差し孔ｈを貫通して当該フロアビームＢを前記各受部32において支承させると共に、前記フロアビームＦの差し孔ｈから突出する第二雄ネジ部32・32・…にはロックナット４・４・…を螺合して締め付けることによりフロアビームＢを当該床ポスト（１・３）上に床組み構築することを特徴とする請求項１又は２記載の杭止め式レベル調節床ポストを使用する床組み施工法。
【請求項４】
ペディスタルボルト１のパイプ状中空部に内装されるアンカー杭２が杭本体20とこれを被覆するスリーブ24とから成り、スリーブ24の周面には縦割りスリット25が形成してあって、杭本体20が叩打によってスリーブ24の内面をスライドしたとき当該スリーブ24が縦割りスリット25において拡径してペディスタルボルト１の中空部内面に密着することを特徴とする請求項１〜３の何れか一つに記載の杭止め式レベル調節床ポストを使用する床組み施工法。
【請求項５】
ペディスタルボルト1、支承筒４、およびロックナット４として、ガラス繊維強化のナイロン樹脂を成形して成るものを使用することを特徴とする請求項１〜４記載の何れか一つに記載の杭止め式レベル調節床ポストを使用する床組み施工法。
【発明の詳細な説明】
【０００１】
【発明の属する技術分野】
本発明は、杭止め式レベル調節床ポストを使用する床組み施工法に関し、更に詳しくは、接着剤の硬化を待つことなく（接着剤が未硬化であっても）、安定な状態に簡易かつ迅速に固定立設させながらフロアビームのレベルを正確に調節して床壁組み工事を行うことができる床・組み構造物を能率的に構築することができる施工法に関するものである。
【０００２】
【従来の技術】
本願の共同出願人である『フクビ化学工業株式会社』は、スラブ上に定立されるボルト部と、このボルト部にレベル調節可能に螺合してフロアビームを支承可能な雌ネジ筒とで構成される「レベル調節式ビームポスト」と、このビームポストを用いて床組み施工する方法を開発して特許出願（特願平９−109688号：以下、この出願を「先提案出願」と称し、その内容たる発明を「先提案発明」と称する）を行っている。
【０００３】
しかして、この先提案発明の技術は、デッキプレートに埋込みボルトを溶接する等といった面倒な準備工事が不要であるのに加えて、不陸のあるスラブ上にもフロアビームのレベルを正確に合せて簡易に床組みを構築してゆくことができるために床組工事の合理化に役立ちはしたが、フロアポストをスラブに固定させるのに接着剤を使用する必要があったところから、接着剤が十分に硬化してフロアポストがスラブ上の適切な位置に確実に固定されるまでの間、そのまゝ養生させて置かねばならず、一時的にせよ工事の中断を余儀なくされる場合もあり、工期の短縮化が要請される今日の建築工事の分野においては改善の必要があった。
【０００４】
【発明が解決しようとする課題】
本発明は、先提案発明における前述の難点を解消しようとして為されたものであり、接着剤の硬化を待つことなく、安定な状態に簡易かつ迅速に固定立設させながらフロアビームのレベルを正確に調節して床組み工事を行うことができる杭止め式レベル調節床ポストを使用する床組み施工法を提供することを技術的課題とする。
【０００５】
また、本発明の他の技術的課題は、フロアビームを支承している床ポストが躯体中に打ち込まれたアンカー杭によりガッシリと安定に固定することができ、しかも不陸のある躯体面上にも正確にレベル合わせをして構築することができる杭止め式レベル調節床ポストを使用する床組み施工法を提供するにある。
【０００６】
さらに、本発明の他の技術的課題は、杭打ち作業、レベル調節作業、ロックナットによる締め付け作業といった単純作業によって未熟練者でも能率的に床組み構造物を構築してゆくことができる杭止め式レベル調節床ポストを使用する床組み施工法を提供するにある。
【０００７】
【課題を解決するために採用した手段】
本発明者らが上記技術的課題を解決するために採用した技術手段を、添附図面を参照して説明すれば、次のとおりである。
【０００８】
即ち、本発明は、躯体Ｆ上に定立可能なパイプ状の起立部材であって、外周面には第一雄ネジ部11が形成されたペディスタルボルト１を、そのパイプ状中空部に内装されたアンカー杭２に対し当該中空部の上部からノックロッドNを差し込んで当該ノックロッドを介しアンカー杭２を叩打することによってアンカー杭２の先端21および軸部22を躯体Ｆの中に打込み固定すると共に、当該ペディスタルボルト１外周面の第一雄ネジ部11には下部周縁に受部32を備える支承筒３を螺合させて、フロアビームＢに穿設された差し孔ｈを前記支承筒３の受部32に嵌め合せることにより当該フロアビームＢを前記受部32に支承せしめ、これらフロアビームＢのレベルを支承筒３のヘッド部31を正逆回転操作することによって調節してレベルが合致したところで、差し孔ｈから突出せる支承筒３上部の第二雄ネジ部33にロックナット４を螺合して締め付けることによりフロアビームＢを当該床ポスト（１・２・３）上に床組み構築するという作業工程を課題解決手段として含む杭止め式レベル調節床ポストを使用する床組み施工法に特徴がある。
【０００９】
【発明の実施の形態】
以下、本発明に係る杭止め式レベル調節床ポストを使用する床組み施工法を添附図面に示される実施形態に基いて、更に具体的に説明する。
【００１０】
図１に示すものは、本発明の床組み施工法に使用する床ポストを分解して示した半立断面説明図である。
【００１１】
図１において、符号１で指示するものはペディスタルボルトであって、下端部には後述の躯体Ｆ（コンクリートスラブ）に定立させるための鍔広のフット部10を有する。このペディスタルボルト１の外周面には略全長に亙って第一雄ネジ部11が形成されており、かつ、その軸心領域は上下方向に貫通されて中空部12を形成している。
【００１２】
上記ペディスタルボルト１の中空部12の下端には、先端が下向きに位置するように、上記フット部10の下面中心部から押し込み圧入されたアンカー杭２が装填されている。本実施形態において採用のアンカー杭２は、図２に示すように硬質金属釘材（JIS Ｇ 3506 : ＳＷＲＨ42Ａ）から成る杭本体20と、この杭本体20の軸部22の一定範囲を被覆する軟質金属（本実施形態では、亜鉛）製のスリーブ24とから構成されている。図示の杭本体20における軸部22の上側には軸周りに突条ｒが形成されており、スリーブ24の周面には縦割りスリット25が切割り形成されているために、ペディスタルボルト１の中空部12の中で杭本体20の頭部23を叩打することにより、当該杭本体20の軸部22はスリーブ24の内面をスライドしてスリーブ24を拡径させながらペディスタルボルトの中空部内面と密着して、先端21が後述の躯体Ｆの中に食い込んでゆくことになる。
【００１３】
なお、このアンカー杭２のスリーブ24は、図３に示すように、スリーブ胴部の中央部から底部に向かって円錐状に太くなるテーパを形成したものを採用しても良い。このことによって、杭本体20の叩打による当該スリーブ24とペディスタルボルト１の中空部内面との密着度が増すことになり、より大きな圧着強度を得ることが可能となる。また、このように、スリーブの胴部中央から底部にかけてテーパを設けているので、スリーブ24の拡径作用によってペディスタルボルト１の外周面の第一雄ネジ部11までもが拡径してしまう問題はない。
【００１４】
また、図１において、符号３で指示するものは支承筒であり、その上端部には六角レンチで回転操作可能なヘッド部31が形成されており、また、下部周縁には後述のフロアビームＢを支承すべきフランジ形の受部32が形成されており、更に当該支承筒３の外周面には前記ヘッド部31に近い上部領域に第二雄ネジ部33が形成されている。
【００１５】
そして、符号４で指示するものはフロアビームＢを上部から締め付けるべきロックナットであって、上記支承筒３の第二雄ネジ部33に捻込み捻戻し自在に螺合される。このロックナット４の周面には、回転操作するための引掛けリブ41が３つ等角度に形成されてある。なお、符号５は、ロックナット４とフロアビームＢとの間に介装される合成樹脂製のワッシャーである。
【００１６】
図１に示されるペディスタルボルト１、支承筒３、およびロックナット４はガラス繊維強化のナイロン樹脂を素材として成形したものを採用している。また、ペディスタルボルト１における軸心中空部12のアンカー杭２は、当該ペディスタルボルト１のフット部10の下面中心部から先端21が下向きに位置するようにハンマーＨなどにより打ち込み圧入したものであるが（図４参照）、このアンカー杭２はペディスタルボルト１を製造する際にインサート成形法により成形と同時に内装させたものを用いることも可能である。
【００１７】
次に、図１のペディスタルポスト１とアンカー杭２と支承筒３とを使用して床組み構造物を構築する施工方法を具体例を挙げて説明してゆきたい。
【００１８】
まず、床組みをすべき建造物の躯体Ｆ（本施工例にあっては、コンクリートスラブ）の所定位置にペディスタルボルト１を配置する（図５参照）。このペディスタルボルト１の中空部12の軸心位置には、杭本体20とスリーブ24とから成るアンカー杭２が内装されている。
【００１９】
つぎに、このペディスタルボルト１の中空部12の上部からノックロッドＮを差し込み、当該ノックロッドＮを介してアンカー杭２における杭本体20の頭部23を強く叩打して杭本体20の先端21および軸部22を一定の深さまで打ち込み固定する（図６および図７参照）。
【００２０】
かくして、所定位置に打ち付け固定された各ペディスタルボルト１には、上記支承筒３を螺合させて受部32のレベルを調節し、フロアビームＢに予め穿設してある差し孔ｈに支承筒３を嵌め合せ、差し孔ｈの孔縁を前記受部32に支承させる（図８参照）。なお、ここにフロアビームＢとは、大引きや床梁などの如き床組を構成する横架材をいう。
【００２１】
ついで、支承されたフロアビームＢの上面レベルに狂いがある場合には、支承筒３のヘッド部31を六角レンチなどの工具で正逆回転させてレベル調整をする。
【００２２】
こうしてフロアビームＢの上面レベルが合ったところで、差し孔ｈから突出する支承筒３に上記ワッシャー５を嵌めてフロアビームＢにおける差し孔ｈの孔縁を囲い、支承筒３の第二雄ネジ部33にロックナット４を捻込むことによって、ワッシャー５を挟んだ状態にフロアビームＢを締め付ける（図９参照）。この場合において、ロックナット４が堅くて回し難くいときにはスパナなどの工具で引掛けリブ41に掛合させて回せばよい。
【００２３】
図示の施工例では、ペディスタルボルト１を躯体Ｆ（コンクリートスラブ）に杭止固定してから、支承筒３をペディスタルボルト１の第一雄ネジ部11に螺合させ、螺合された支承筒３の受部32にフロアビームＢを支承させて、適宜にレベル調節をしてからロックナット４でフロアビームＢを締め付けロックするといった方法を採っているが、必ずしも図示の施工例に限定される訳ではなく、例えば、次のようにしてもよい。
【００２４】
予め、各フロアビームＢの差し孔ｈ・ｈ・…の各々に杭止式レベル調節床ポストを仮装着して置き、これらのフロアビームＢを床組施工すべき躯体Ｆ（コンクリートスラブ）の所定位置に配置する。
【００２５】
ついで、各差し孔ｈから突出する支承筒３の上側開口部からノックロッドＮをペディスタルボルト１の中空部12に挿入して、このノックロッドＮの頭部をハンマー等の打撃工具で叩打してアンカー杭２の頭部23に打ち込み衝撃を加えることによりアンカー杭２の先端21と軸部22を所定深さまで打ち込んでゆくことによって、全ての床・壁ポストを躯体Ｆ（コンクリートスラブ）に定立固定せしめる。ついで、各フロアビームＢ・Ｂ・…の上面レベルを差し孔ｈから突出する支承筒３のヘッド部31を六角レンチなどの工具で正逆回転させて調整をする。
【００２６】
そして、フロアビームＢ・Ｂ・…のレベル調節が済んだところで、ロックナット４を回して支承筒３の受部32とロックナット４との間に各フロアビームＢを締め付け固定すれば、本施工例の床組み構造物が構築される。
【００２７】
図10に図示するものは、前述の実施形態例に示す杭止め式レベル調節床ポストを使用して構築された床組み構造物である。
【００２８】
即ち、図10の床組構造物にあっては、ペディスタルボルト１・１・…が中空部12の下部に内装されたアンカー杭２の先端21および軸部22が所要の深さまで躯体Ｆ（コンクリートスラブ）の中に打ち込み固定されることによって安定な固定状態に列立されている。
【００２９】
そして、上記各ペディスタルボルト１の第一雄ネジ部11には、支承筒３が内周雌ネジ部がレベル調節された状態で螺合されている一方、当該支承筒３はフロアビームＢの差し孔ｈを貫通して当該孔縁を受部32で支承しており、こうして支承されたフロアビームＢの差し孔ｈから突出している支承筒３の第二雄ネジ部33にロックナット４がワッシャー５を挟んだ状態で上部孔縁を締め付けロックしている。なお、図10において、符号６で指示するものは上記のように構築された床組構造物のフロアビームＢ上に横架された根太材であり、符号７は根太材６の上に付設された床板材である。
【００３０】
本明細書に具体的に例示する床ポストを使用する床組み施工法は概ね上記のとおりであるが、本発明は前述の具体例に限定されるものでは決してなく、「特許請求の範囲」の記載内において種々の設計変形が可能である。
【００３１】
例えば、前述の施工例では床ポストとして、ガラス繊維強化のナイロンを射出成形したものを挙げたけれども、必ずしも合成樹脂製でなくてもよく、アルミや鋼材をダイカスト成形した金属製のものを採用することも可能であり、かゝる設計変更は当然に本発明の技術的範囲に属する。
【００３２】
また、前述の具体例においては、床ポスト（１・２・３）はアンカー杭の打込みだけによって固定する例を挙げて説明したけれども、フット部の下面に接着剤を併用してもよく、接着剤を併用した場合には当該接着剤が硬化した後ではアンカー杭の杭止作用と接着剤の固着作用が相互補完して、例えばアンカー杭が刺さった周囲のコンクリートにヒビ割れが生じて杭止効果が減退した場合にも接着剤の固着作用が依然として有効に作用し続けるので、床組み構造体の安定性は些かも低下することはない。しかして、このような設計変更もまた、本発明の技術的範囲に属することは云うまでもない。
【００３３】
【発明の効果】
以上説明したとおり、本発明の杭止め式レベル調節床ポストを使用する床組み施工法によれば、ペディスタルボルトをアンカー杭を打ち込むことによって躯体に杭打ち固定することができるので、接着剤の硬化を待たなくても、安定な状態に簡易かつ迅速に固定立設させることができるので、フロアビームのレベルを正確に調節して床組み工事を行うことが可能になる。
【００３４】
また、本発明の杭止め式レベル調節床ポストを使用する床組み施工法は、フロアビームを支承している床ポストが躯体中に深く打ち込まれたアンカー杭によりガッシリと固定された状態になるので、構造的にも非常に安定したものとなり、しかも不陸のある躯体面上でもフロアビームの上から簡単かつ正確にレベル合せができるので、高精度で頑丈な床面を安価に提供することができる。
【００３５】
さらに、本発明の杭止め式レベル調節床ポストを使用する床組み施工法は、杭打ち作業、レベル調節作業、ロックナットによる締め付け作業といった至極単純な作業によって行えるので、未熟練者でも高精度の床組み構造物を能率的に構築することが可能になる。
【００３６】
このように本発明は、先に提案した特願平９−109688号発明の難点を何ら構造や作業に複雑化を招来することなく、極めて簡素な手段によって克服しているのであって、工費の節減ならびに工期の短縮化に大いに役立つものであり、その産業上の利用価値は頗る大である。
【図面の簡単な説明】
【図１】本発明方法に使用する床ポストを分解して示した半立断面説明図である。
【図２】本発明方法に使用する床ポストのペディスタルボルトに内装されるアンカー杭の分解立面図である。
【図３】ペディスタルボルトに内装されるアンカー杭の変形例の分解立面図である。
【図４】ペディスタルボルトのフット部の下面から中空部にアンカー杭を装填する状態を例示した説明図である。
【図５】ペディスタルボルトを躯体（コンクリートスラブ）上に配置して杭止めする前の状態を示した立断面図である。
【図６】ペディスタルボルトの軸心中空部に上方からノックロッドを差し込んで内装されたアンカー杭を打ち込もうとする状態の説明図である。
【図７】ノックロッドの頭部をハンマーで叩いてベディスタルボルトに内装したアンカー杭を躯体（コンクリートスラブ）中に打ち込んだ状態を表わす説明図である。
【図８】ペディスタルボルトに支承筒を螺着してフロアビームを支承させている状態を表わす説明図である。
【図９】フロアビームを支承している支承筒の第二雄ネジ部にロックナットを捻込んでフロアビームをロックした状態を表わす説明図である。
【図１０】図１の床ポストを用いて構築された床組み構造物の部分断面説明図である。
【符号の説明】
１   ペディスタルボルト
10   フット部
11   第一雄ネジ部
12   中空部
２   アンカー杭
20   杭本体
21  先端
22   軸部
23   頭部
24   スリーブ
25   縦割りスリット
３   支承筒
31   ヘッド部
32   受部
33   第二雄ネジ部
４   ロックナット
41   引掛けリブ
５   ワッシャー
６   根太材
７   床板材
Ｂ   フロアビーム
Ｆ   躯体
Ｈ   ハンマー
Ｎ   ノックロッド
ｈ   差し孔
ｒ （杭本体の）突条
【図１】
0004125436.tif 000002
【図２】
0004125436.tif 000003
【図３】
0004125436.tif 000004
【図４】
0004125436.tif 000005
【図５】
0004125436.tif 000006
【図６】
0004125436.tif 000007
【図７】
0004125436.tif 000008
【図８】
0004125436.tif 000009
【図９】
0004125436.tif 000010
【図１０】
0004125436.tif 000011